(57)【要約】【課題】集塵袋の装着状態を検出できるとともに、蓋部をスリム化できる電気掃除機を提供する。【解決手段】本体ケース25は、本体部31に進退可能に配置され、蓋部32側に付勢された状態で突出し、突出状態で蓋部32による集塵室37の閉塞を許容しない突起体63を備える。本体ケース25は、対をなす保持溝部57の少なくともいずれか一方に進退可能に配置された検出部66を有する検出体61を備える。検出体61は、検出部66が保持溝部57内へと進出する方向に向けて付勢され、検出部66が保持溝部57側に進出した状態では突起体63を突出状態でロックする。検出体61は、保持溝部57間に挿入された集塵袋38の口枠38aによって検出部66が付勢に抗して押圧されることで保持溝部57側から退避して突起体63の突出状態のロックを解除する。【選択図】図１
2014104254.tif 000002
【特許請求の範囲】
【請求項１】
吸込開口を有する口枠および前記吸込開口に連通して前記口枠に取り付けられた袋状の濾材を備えた集塵袋を着脱可能に用いる電気掃除機であって、
本体ケースと、
この本体ケースに収容された電動送風機と、
前記本体ケースの内部に前記電動送風機の吸込側に連通して形成された集塵室と、
前記本体ケースに開口され前記集塵室と連通する本体吸込口とを具備し、
前記本体ケースは、
前記電動送風機を収容する本体部と、
この本体部に対して回動可能に設けられ、回動により前記集塵室を開閉する蓋部と、
前記集塵室内の前記本体吸込口の側方に位置し、集塵袋の口枠の側部を保持する対をなす保持溝部と、
前記本体部に進退可能に配置され、前記蓋部側に付勢された状態で突出し、突出状態で前記蓋部による前記集塵室の閉塞を許容しない突起体と、
前記保持溝部の少なくともいずれか一方に進退可能に配置された検出部を有し、この検出部が前記保持溝部内へと進出する方向に向けて付勢され、この検出部が前記保持溝部側に進出した状態では前記突起体を突出状態でロックするとともに、前記保持溝部間に挿入された集塵袋の口枠によって前記検出部が付勢に抗して押圧されることで前記保持溝部側から退避して前記突起体の突出状態のロックを解除する検出体とを備えている
ことを特徴とした電気掃除機。
【請求項２】
保持溝部は、集塵袋の口枠の挿入側が集塵室の蓋部側の端部近傍に延びるとともに本体吸込口側から離間される方向に拡開されている
ことを特徴とした請求項１記載の電気掃除機。
【請求項３】
蓋部は、保持溝部間に保持された集塵袋の口枠の電動送風機側を、集塵室を閉塞した状態で保持する保持部を有している
ことを特徴とした請求項１または２記載の電気掃除機。
【請求項４】
本体吸込口に接続された状態で集塵袋の吸込開口に挿入されて濾材内と連通する管部を具備している
ことを特徴とした請求項３記載の電気掃除機。
【発明の詳細な説明】
【技術分野】
【０００１】
本発明の実施形態は、集塵袋を着脱可能に用いる電気掃除機に関する。
【背景技術】
【０００２】
従来、例えば集塵袋としての使い捨ての紙パックを集塵室に着脱可能に用いる電気掃除機が知られている。このような電気掃除機は、紙パックが集塵室に装着されていない状態で誤って駆動させないようにするために、紙パックの装着を検出する構成を設ける必要がある。
【先行技術文献】
【特許文献】
【０００３】
【特許文献１】特許第４７６５８７０号公報
【特許文献２】特許第４７６５５１２号公報
【特許文献３】特許第４６６１３３５号公報
【発明の概要】
【発明が解決しようとする課題】
【０００４】
上記の特許文献１記載の構成では、紙パックを集塵室に固定するためのクランプを本体ケースの本体吸込口の上部に設け、紙パックが装着されていない場合には、このクランプが集塵室の蓋部と干渉することで蓋部の閉まりを許容せず、使用者に紙パックが装着されていないことを報知するようになっている。
【０００５】
また、上記の特許文献２および３記載の構成では、紙パックの装着を検出する検出部を蓋部の前部に設け、紙パックが装着されていない場合には、この検出部が本体ケースと干渉することで蓋部の閉まりが許容されず、使用者に紙パックが装着されていないことを報知するようになっている。
【０００６】
しかしながら、これら構成では、集塵室の前部に位置するクランプ、あるいは検出部用のスペースを蓋部側に取る必要があるため、蓋部が上方に膨らみ、蓋部のデザインを低くすることが容易でない。
【０００７】
本発明が解決しようとする課題は、集塵袋の装着状態を検出できるとともに、蓋部をスリム化できる電気掃除機を提供することである。
【課題を解決するための手段】
【０００８】
実施形態の電気掃除機は、吸込開口を有する口枠および吸込開口に連通して口枠に取り付けられた袋状の濾材を備えた集塵袋を着脱可能に用いる電気掃除機である。この電気掃除機は、本体ケースを有する。また、この電気掃除機は、本体ケースに収容された電動送風機を有する。さらに、この電気掃除機は、本体ケースの内部に電動送風機の吸込側に連通して形成された集塵室を有する。そして、この電気掃除機は、本体ケースに開口され集塵室と連通する本体吸込口を有する。また、本体ケースは、電動送風機を収容する本体部を備える。さらに、この本体ケースは、本体部に対して回動可能に設けられ、回動により集塵室を開閉する蓋部を備える。また、この本体ケースは、集塵室内の本体吸込口の側方に位置し、集塵袋の口枠の側部を保持する対をなす保持溝部を備える。さらに、この本体ケースは、本体部に進退可能に配置され、蓋部側に付勢された状態で突出し、突出状態で蓋部による集塵室の閉塞を許容しない突起体を備える。そして、この本体ケースは、保持溝部の少なくともいずれか一方に進退可能に配置された検出部を有する検出体を備える。この検出体は、検出部が保持溝部内へと進出する方向に向けて付勢され、この検出部が保持溝部側に進出した状態では突起体を突出状態でロックする。そして、この検出体は、保持溝部間に挿入された集塵袋の口枠によって検出部が付勢に抗して押圧されることで保持溝部側から退避して突起体の突出状態のロックを解除する。
【図面の簡単な説明】
【０００９】
【図１】一実施形態の電気掃除機の集塵袋の装着状態を示し、(a)はその縦断面図、(b)はその横断面図である。
【図２】同上電気掃除機の集塵袋の非装着状態を示し、(a)はその縦断面図、(b)はその横断面図である。
【図３】同上電気掃除機の集塵室内の一部を示す斜視図である。
【図４】同上電気掃除機を模式的に示す断面図である。
【発明を実施するための形態】
【００１０】
以下、一実施形態の構成を図１ないし図４を参照して説明する。
【００１１】
図４において、11はいわゆるキャニスタ型の電気掃除機を示し、この電気掃除機11は、吸込風路体(風路形成体)である管部12と、この管部12が着脱可能に接続される掃除機本体13とを有している。
【００１２】
管部12は、ホース体15を備え、このホース体15の基端側(下流端側)に、掃除機本体13に接続される接続管部16が形成され、このホース体15の先端側(上流端側)に、手元操作用の手元操作部が設けられている。そして、この手元操作部には、図示しない延長管および吸込口体としての床ブラシなどが着脱可能に接続される。また、手元操作部には、使用者が把持する把持部が突設されているとともに、この把持部の上部に、操作用の設定ボタンが設けられている。
【００１３】
一方、掃除機本体13は、大径の走行輪23を両側に有し旋回輪24を下部に有する本体ケース25を備え、走行輪23および旋回輪24によって被掃除面である床面Ｆ上を少なくとも前後方向に沿って走行(移動)可能に構成されている。なお、以下、前後方向および左右方向は、掃除機本体13(本体ケース25)の走行(移動)方向を基準とする。
【００１４】
本体ケース25は、例えば合成樹脂などにより形成されており、図１ないし図４に示すように、本体部31と、この本体部31の上部に上下方向に回動可能に設けられた蓋部32とを備えている。そして、本体部31は、電動送風機34、この電動送風機34の動作を制御する制御手段としての制御回路部、および、これら電動送風機34および制御回路部などに給電可能な電源部としてのコードリール装置などを収容した収容本体部35と、この収容本体部35の前部に設けられた集塵室区画部36とを有し、この集塵室区画部36の上部を蓋部32によって閉塞することで集塵室37が電動送風機34の前方に区画されるようになっている。そして、この集塵室37には、使い捨ての紙パックなどの集塵袋38が着脱可能となっている。
【００１５】
ここで、集塵袋38は、例えば厚紙などによって四角形状に形成された台紙である口枠38aと、この口枠38aに取り付けられた袋状の濾材38bとを備えている。口枠38aには、濾材38bの内部と連通する円形状の吸込開口38cが開口されている。そして、この集塵袋38は、電動送風機34の駆動により吸込開口38cから濾材38b内へと吸い込まれた空気が濾材38bを通過する際に、この空気に含まれる塵埃を濾材38bによって濾過分離するように構成されている。
【００１６】
また、収容本体部35の上部の前側には、蓋部32が軸支されている。さらに、この収容本体部35の後部には、図示しないが、電動送風機34の排気を外部へと排出する排気孔、および、コードリール装置に巻回された電源コードを出し入れ可能とするコード導出口がそれぞれ開口されている。また、この収容本体部35と集塵室区画部36との間は、上下方向に延びて左右方向に沿う隔壁41が介在されており、この隔壁41には、電動送風機34の吸込側と気密に接続される図示しない連通口が開口されている。したがって、この連通口を介して電動送風機34の吸込側が集塵室37と気密に接続されている。また、この連通口は、フィルタ部43によって覆われている。
【００１７】
また、集塵室区画部36は、収容本体部35の前端の下部(隔壁41の下部)から前方へと突出し集塵室37の底部を構成する底板部45と、この底板部45の左右両側から上方へと立ち上がって収容本体部35の前端の両側部から前方へと突出して集塵室37の両側部を構成する側壁部46と、これら底板部45の前端部と両側壁部46の前端部との間に連続し集塵室37の前部を構成する前壁部47とを備えている。したがって、集塵室区画部36の上側には、隔壁41、両側壁部46および前壁部47により周縁が区画された開口部48が開口されている。すなわち、この開口部48は、集塵室37の上部に連通している。また、この開口部48の縁部には、下方へと回動した蓋部32と圧接されて集塵室37の上部を気密に閉塞する図示しないシール部材が取り付けられている。
【００１８】
さらに、前壁部47は、左右方向に沿って形成されており、上端部が蓋部32の前端の下部に対向する平坦状の対向部50となっている。また、この前壁部47の上端部には、蓋部32を係止する図示しない係止部が配置されている。さらに、この前壁部47の左右方向の中央部には、本体吸込口51が前後方向に沿って開口されている。また、前壁部47の後側、すなわち集塵室37側には、本体吸込口51の両側に位置して、保持体部52，52が上下方向に沿って直線長手状に形成されている。さらに、この前壁部47には、集塵室37への集塵袋38の装着を検出する装着検出手段53が取り付けられている。
【００１９】
本体吸込口51は、集塵室37と外部とを連通するとともに集塵室37に装着された集塵袋38の吸込開口38cと同軸状に連通するものであり、例えば円形状に形成されている。また、この本体吸込口51には、管部12のホース体15の基端側である接続管部16の基端側が挿入接続されるものであり、この管部12のホース体15の接続管部16の基端側は、本体吸込口51に挿入された状態で、集塵袋38の吸込開口38cに挿入されてこの集塵袋38の袋状の濾材38bの内方に延びて連通するようになっている。さらに、この本体吸込口51の周辺部には、この本体吸込口51に接続された管部12側と掃除機本体13側とを電気的に接続するための図示しない電気接続部が設けられている。
【００２０】
また、保持体部52，52は、左右方向に互いに離間されて配置されており、例えば下端部および前端部が底板部45および前壁部47と連続して、上端部が本体吸込口51よりも蓋部32側である上方に延びて集塵室37の蓋部32側の端部である上端部、すなわち開口部48近傍、本実施形態では、この開口部48よりも上方に延びて位置している。すなわち、各保持体部52は、前後方向に沿って上下方向に延びる板状の側板部55と、側板部55の反本体吸込口51側である後端部から左右方向の中央部側に向けて左右方向に沿って上下方向に延びる板状の規制部である後板部56とを備えており、これら側板部55と後板部56とにより、各保持体部52に上下方向に沿って長手状で集塵袋38の口枠38aの両側部を溝によって保持する保持溝部57が区画されている。また、側板部55の上端部の後部は、後方上側へと傾斜状に拡開した拡開部55aとなっており、後板部56の上端部は、後方上側へと傾斜した集塵袋ガイド部としての傾斜部56aとなっている。このため、保持溝部57の上端側は、本体吸込口51側から離間される後方向に拡開されている。
【００２１】
また、装着検出手段53は、保持溝部57，57への集塵袋38の装着を検出する検出体61と、この検出体61を付勢する検出体付勢手段としての側部コイルばね62と、この検出体61の上方に位置する蓋部ストッパ部としての突起体63と、この突起体63を付勢する突起体付勢手段としての上部コイルばね64とを備えている。
【００２２】
検出体61は、一方の保持溝部57に臨む検出部66と、この検出部66から突起体63側へと延びる規制腕部67とを有している。そして、この検出体61は、例えば検出体収容部68に収容されて、左右方向へと移動可能に設けられている。換言すれば、この検出体61は、保持溝部57へと集塵袋38の挿入方向に対して交差(直交)する左右方向に進退可能に設けられている。
【００２３】
検出部66は、一方の保持溝部57内に露出する集塵袋当接部71と、この集塵袋当接部71の背面側から突出する突出軸部72とを備えている。そして、この検出部66は、保持溝部57に対して進退可能に配置されている。
【００２４】
集塵袋当接部71は、保持溝部57に挿入された集塵袋38の口枠38aの一側部と当接可能な部分であり、保持溝部57への集塵袋38の挿入側である上側に形成された傾斜ガイド部71aを有している。この傾斜ガイド部71aは、集塵袋当接部71の上端部から集塵袋38の反挿入側である下側へと徐々に保持溝部57側に突出するように傾斜している。さらに、この集塵袋当接部71は、一方の保持体部52の側板部55に開口された開口74に嵌合している。この開口74の縁部には、集塵袋当接部71をガイドするガイド片部74aが側板部55の外方に向けて突出して形成されている。
【００２５】
また、突出軸部72は、集塵袋当接部71から軸状に突出して形成され、一方の保持体部52の側板部55から集塵室37の側部を区画する側壁部46へと突出し、側部コイルばね62に挿通されているとともに、検出体収容部68に開口された挿入開口76内へと挿入されている。
【００２６】
また、規制腕部67は、集塵袋当接部71の背面側から前方へと長手状に延びる連結部78と、この連結部78の前端部から左右方向の中心側、すなわち本体吸込口51の中心軸へと接近する方向に向けて長手状に延びる規制部79とを備え、平面視でコ字状となっている。そして、規制部79は、検出体61が保持溝部57内へ突出する方向に移動した状態で突起体63の下方に入り込むことでこの突起体63を突出状態にロックするとともに、検出体61が保持溝部57から退避する方向に移動した状態で突起体63の下方から退避することで、突起体63の突出状態のロックを解除するようになっている。
【００２７】
また、検出体収容部68は、一方の保持体部52の側板部55の反保持溝部57側すなわち背面側から一方の側壁部46および前壁部47に亘って配置されており、検出体61の移動を許容する移動許容部81と、検出体61の移動をガイドするガイド部82とを備えている。
【００２８】
移動許容部81は、一方の保持体部52の側板部55に対して反保持溝部57側である外方(側方)に離間され前後方向に沿って上下方向に延びる壁部84と、この壁部84の後端部と一方の保持体部52の側板部55とを連結して検出体61を隠す連結板部85とを備えている。そして、例えば壁部84と一方の保持体部52の側板部55との間の距離が、例えば検出体61の移動ストロークとして設定される。
【００２９】
壁部84は、検出部66の突出軸部72および規制腕部67の連結部78の側方に対向して位置しており、挿入開口76が開口されている。
【００３０】
また、ガイド部82は、壁部84の前端側の位置に、左右方向に沿って延びる筒状に形成され、内部に規制腕部67の基端側が収容されている。さらに、このガイド部82は、突起体63の下部と対向する上側が開口して規制腕部67の先端側が露出している。
【００３１】
また、側部コイルばね62は、検出部66の集塵袋当接部71の背面側と検出体収容部68の壁部84との間に介在されており、検出体61を、検出部66の集塵袋当接部71が開口74から保持溝部57へと進出する方向に向けて付勢している。
【００３２】
また、突起体63は、例えば直線棒状に形成されており、本体部31の前壁部47の上部の一側寄りの位置にて対向部50に開口された対向開口部87に挿通されて上下方向に進退可能となっている。なお、対向開口部87の縁部には、突起体63をガイドするガイド枠部87aが側板部55の外方に向けて突出して形成されている。したがって、この対向開口部87は、筒状(ボス状)となっている。さらに、この突起体63の下端部には、側方へとフランジ状に突出する抜け止め部であるフランジ部63aが形成されている。そして、このフランジ部63aにより、ガイド枠部87aの下端部と検出体収容部68との間の距離が、突起体63の移動ストロークとして設定される。また、この突起体63の上端部は、蓋部32の下部と対向する平坦状の蓋部当接部63bとなっている。
【００３３】
また、上部コイルばね64は、例えば検出体収容部68のガイド部82に下端部が固定され、上端部が突起体63と接続されている。そして、この上部コイルばね64の付勢により、突起体63は、フランジ部63aがガイド枠部87aの下端部と当接して上端側(蓋部当接部63b)が対向部50から上方に突出した突出状態となるように構成されている。
【００３４】
また、電動送風機34は、設定ボタンの操作に応じて、制御回路部により動作が制御されるものである。そして、この電動送風機34の吸込側は、吸気開口部と連通しており、下流側は排気孔と連通している。
【００３５】
また、制御回路部は、設定ボタンと電気的に接続されており、この設定ボタンの操作により設定された動作モード(例えば強モード、中モード、弱モード、自動モード、停止モードなど)に電動送風機34の動作を設定するように構成されている。
【００３６】
また、蓋部32は、後側から前側へと徐々に厚みが小さくなる形状に形成されている。さらに、この蓋部32には、前端部の下部に本体部31の前壁部47の上端部である対向部50と集塵室37(開口部48)を閉塞した状態(閉塞状態)で対向当接する平坦状の当接部91が形成されているとともに、この当接部91の電動送風機34側(反本体吸込口51側)である後側の位置に、保持溝部57間に保持された集塵袋38の口枠38aの後側を保持する保持部92が爪状に下方に突出して形成されている。そして、この蓋部32には、例えば前端部などに、この蓋部32を閉塞状態で本体部31側の係止部に対して係止保持する図示しない被係止部が設けられている。
【００３７】
次に、上記一実施形態による掃除動作を説明する。
【００３８】
掃除を開始する際には、まず、集塵袋38を本体ケース25の集塵室37に装着する。
【００３９】
ここで、集塵袋38を集塵室37に装着していない(非装着の)状態では、上部コイルばね64の付勢により、突起体63の上端部の蓋部当接部63bが対向部50に対して上方へと突出しているとともに、側部コイルばね62の付勢により、上方へと突出した突起体63の下部のフランジ部63aの下方に検出体61の規制腕部67が入り込み、突起体63の下方への退避が許容されず、突起体63が上方へと突出した突出状態を維持するように(下方へと退避しないように)ロックされることで、蓋部32を下方へと回動させて集塵室37(開口部48)を閉塞しようとしたときに、突起体63の蓋部当接部63bと蓋部32の当接部91と当接して、この閉塞を許容しない(図２(a)および図２(b))。
【００４０】
そして、集塵袋38の装着の際には、集塵袋38の口枠38aを、蓋部32を上方へと回動させて開いている集塵室37に対して保持溝部57，57の上方から挿入する。この挿入の際には、保持溝部57，57の挿入側端部である上端部が集塵室37の上端部である開口部48の近傍に延びているとともに、保持溝部57，57の後部が反本体吸込口51側である後方、すなわち集塵室37の内方へと拡開していることにより、口枠38aの下端部を保持体部52，52の傾斜部56a，56aに沿わせることで、集塵袋38の口枠38aが円滑に保持溝部57，57間に挿入される。
【００４１】
この集塵袋38の口枠38aが保持溝部57，57間に挿入されると、この口枠38aの一側部が検出体61の検出部66の集塵袋当接部71の傾斜ガイド部71aと当接しながら下方へと移動することで、検出体61(検出部66)をガイド片部74aに沿って側部コイルばね62の付勢に抗して側方へと徐々に押し込んで、検出体61が退避する。このため、この検出体61の規制腕部67がガイド部82に沿って側方へと退避して突起体63のフランジ部63aの下部から側方へと抜き取られ、突起体63の突出状態のロックが解除されて、この突起体63の下方への退避が許容される(図１(b))。
【００４２】
そして、蓋部32を下方へと回動させると、この蓋部32の当接部91と、突出状態のロックが解除された突起体63の蓋部当接部63bとの当接により、突起体63が上部コイルばね64の付勢に抗して下方へと押され、蓋部当接部63bが対向部50と略面一となる状態まで下方へと退避するので、蓋部32を本体部31側に係止部および被係止部によって係止することで、集塵室37の上部(開口部48)が気密な状態で閉塞される(図１(a))。また、この状態で、蓋部32の保持部92が口枠38aの後部を保持することで、集塵袋38は、集塵室37に確実に保持され、口枠38aの吸込開口38cが本体吸込口51と気密に接続される。
【００４３】
なお、集塵袋38が本体ケース25の集塵室37に既に装着された状態である場合には、これらの作業は不要である。
【００４４】
次いで、掃除機本体13(本体ケース25)の本体吸込口51に管部12を接続する。具体的に、管部12は、接続管部16を本体吸込口51に挿入接続するとともに、必要に応じて、手元操作部の先端側に延長管および床ブラシを順次接続する。この接続管部16は、集塵室37に装着された集塵袋38の口枠38aの吸込開口38cに挿入され、濾材38bの内方に進出する(図４)。この状態で、手元操作部の設定ボタンが掃除機本体13(本体ケース25)内の制御回路部などと電気接続部を介して電気的に接続される。なお、管部12が掃除機本体13に既に接続された状態である場合には、これらの操作は不要である。
【００４５】
そして、使用者は、把持部を把持し、所望の設定ボタンを操作することにより、電動送風機34の動作モードを設定する。制御回路部は、この設定された動作モードに対応して電動送風機34の入力を制御し、電動送風機34を設定された動作モードで起動する。
【００４６】
この電動送風機34の起動により生じた負圧は、連通口、集塵室37および集塵袋38を介して管部12へと作用する。
【００４７】
そして、使用者は、この負圧の作用により、床ブラシ、延長管、あるいは手元操作部の先端側から空気とともに塵埃を吸い込む。
【００４８】
この塵埃を含む空気、すなわち含塵空気は、管部12から集塵袋38の濾材38b内へと導かれ、この濾材38bを通過する際に、含まれる塵埃が濾過捕集されて濾材38b内に溜まる。
【００４９】
そして、塵埃が濾過分離された空気は、集塵室37からフィルタ部43を通過しつつ連通口を介して電動送風機34へと吸い込まれ、この電動送風機34の内部を冷却しつつ通過して排気風となり、電動送風機34から排気孔を介して本体ケース25の外部へと排気される。
【００５０】
掃除が終了すると、使用者が所定の設定ボタンを操作することで、制御回路部が電動送風機34の入力を低下させて電動送風機34を停止させる。
【００５１】
集塵袋38内に一定量の塵埃が溜まった場合には、係止部と被係止部とによる蓋部32の本体部31への係止を解除し、蓋部32を上方へと回動させて集塵室37(開口部48)を開き、集塵袋38の口枠38aを摘んで保持溝部57，57から上方へと引き抜いて集塵室37から取り外した後、廃棄する。なお、この集塵袋38の取り外しにより、上部コイルばね64の付勢によって突起体63の上端部の蓋部当接部63bが対向部50に対して上方へと突出し、かつ、側部コイルばね62の付勢により、上方へと突出した突起体63の下部のフランジ部63aの下方に検出体61の規制腕部67が入り込んだ状態に復帰して、蓋部32による集塵室37の閉塞を許容しない。
【００５２】
以上説明した一実施形態では、集塵袋38の口枠38aの側部を保持する保持溝部57の一方に進退可能に配置された検出部66を有する検出体61を、この検出部66が保持溝部57内へと進出する方向に向けて側部コイルばね62によって付勢し、この検出部66が保持溝部57側に進出した状態では、本体部31に進退可能に配置した突起体63を、上部コイルばね64によって付勢されて突出した突出状態でロックするとともに、保持溝部57，57間に挿入された集塵袋38の口枠38aによって検出部66が側部コイルばね62の付勢に抗して押圧されると、検出部66が保持溝部57側から退避するように検出体61が移動して突起体63の突出状態のロックを解除する構成とした。
【００５３】
このため、集塵袋38を保持溝部57，57間に装着していない場合には、突起体63が蓋部32により集塵室37の閉塞を許容せず、集塵袋38を保持溝部57，57間に装着している場合には、集塵室37を閉塞しようとする蓋部32によって突起体63が上部コイルばね64の付勢に抗して押し下げられ、集塵室37の閉塞が可能になることで、蓋部32によって集塵室37を閉じられるかどうかによって、集塵袋38が装着されているか装着されていないか、すなわち、集塵袋38の装着状態を容易に検出でき、かつ、使用者に確実に報知できる。
【００５４】
また、この集塵袋38の装着状態を検出する検出体61は、検出部66が保持溝部57に位置して蓋部32側である上方に突出することがなく、また、突起体63は、蓋部32によって集塵室37を閉塞可能なときには、この蓋部32によって集塵室37を閉塞することで本体部31の内部に退避するので、蓋部32側に、突起体63のためのスペースなどが必要なく、蓋部32をスリム化できる。
【００５５】
この結果、電気掃除機11の本体ケース25の小型化などが可能となるとともに、蓋部32のデザインの選択幅が広がる。
【００５６】
また、保持溝部57の集塵袋38の口枠38aの挿入側である上側が集塵室37の蓋部32側の端部である開口部48近傍に延びるとともに、本体吸込口51側から離間される後方向に拡開されているため、集塵袋38の口枠38aを保持溝部57，57間に挿入しやすくなる。
【００５７】
特に、本実施形態では、集塵袋38の口枠38aを上側から押さえるクランプなどが前壁部47の上部などに設けられていないため、集塵室37の蓋部32側(上側)の部分にスペースを取ることができ、各保持溝部57，57(保持体部52，52)を集塵室37の蓋部32側の端部まで容易に延ばすことができる。
【００５８】
さらに、保持溝部57，57間に保持された集塵袋38の口枠38aの電動送風機34側である後側を、集塵室37を閉塞した状態で保持する保持部92を蓋部32に設けることで、蓋部32によって集塵室37(開口部48)を閉じると、電動送風機34の駆動によって生じた負圧により電動送風機34側へと吸い寄せられる力に対して集塵袋38を確実に保持できる。
【００５９】
そして、本体吸込口51に接続された状態で集塵袋38の吸込開口38cに挿入されて濾材38b内と連通する管部12を備えることで、管部12から吸い込んだ空気を濾材38b内へと、より確実に送り込むことができる。
【００６０】
なお、上記一実施形態において、保持体部52は、下端部が底板部45から離間されて前端部が前壁部47と連続していてもよいし、前端部が前壁部47から離間されて下端部が底板部45と連続していてもよい。
【００６１】
また、検出体61は、いずれか一方の保持溝部57の位置に検出部66を設ければよいが、両方の保持溝部57それぞれに検出部66を設ける構成としてもよい。
【００６２】
さらに、検出体61は、規制腕部67を突起体63の下部に入り込ませることによって突起体63の退避方向への移動を規制することで突起体63を突出状態でロックしたが、例えば突起体63を係止することで突出状態でロックする構成などとしてもよい。
【００６３】
さらに、電気掃除機11としては、キャニスタ型に限らず、例えば上下方向に長手状の掃除機本体13(本体ケース25)の下部に床ブラシを接続したアップライト型、あるいは持ち運び可能なハンディなどでも対応して用いることができる。
【００６４】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６５】
11    電気掃除機
12    管部
25    本体ケース
31    本体部
32    蓋部
34    電動送風機
37    集塵室
38    集塵袋
38a   口枠
38b   濾材
38c   吸込開口
51    本体吸込口
57    保持溝部
61    検出体
63    突起体
66    検出部
92    保持部
【図１】
2014104254.tif 000003
【図２】
2014104254.tif 000004
【図３】
2014104254.tif 000005
【図４】
2014104254.tif 000006